(57)【要約】【課題】操作性の向上を図ること。【解決手段】レバー５０の操作によって上下ローラー１８、２０間に間隙を形成し、ストッパー４６をハンドル５４に近接させて、ハンドル５４に対するロックを解除した状態で、ハンドル５４を回転させると、挿入対象物７０を載せたクリアファイル１２と粘着フィルム２５が上下ローラー１８、２０に挿入され、このとき、レバー５０を押し下げると、上下ローラー１８、２０により、挿入対象物７０を含むクリアファイル１２と粘着フィルム２５が圧着される。この後、ハンドル５４を回転させると、挿入対象物７０を含むクリアファイル１２と粘着フィルム２５が順次排出され、クリアファイル１２が排出された後、ストッパー４６はハンドル５４から離れる方向に移動させると、ストッパー４６内のカッター４８によって粘着フィルム２５が切断される。【選択図】図１
2007190836.tif 000002
【特許請求の範囲】
【請求項１】
クリアファイルを搬送するための搬送路を有する筐体と、前記搬送路を間に相対向して前記筐体に回転自在に配置された一対のローラーと、前記筐体の搬送路に隣接して配置されて前記クリアファイルを収納するトレーと、前記筐体に回転自在に配置されてロール状に巻かれた粘着フィルムを回転自在に支持するフィルムロールと、前記筐体のうち前記各ローラーよりも前記搬送路の排出側において前記搬送路と交差する方向に摺動自在に配置されたストッパーと、前記一対のローラーのうち一方のローラーの軸方向一端側に固定されて、圧着操作または離間操作に応じた回転力を前記一方のローラーに付与するレバーと、前記一方のローラーの軸方向他端側に固定されて、前記レバーの圧着操作により前記一方のローラーと他方のローラーとを互いに圧着させ、前記レバーの離間操作により前記一方のローラーと前記他方のローラーを互いに離間させるカム機構と、前記他方のローラーの軸方向一端側に固定されて搬送操作に応じた回転力を前記他方のローラーに付与するハンドルと、前記ストッパーの摺動領域近傍に配置されて前記ストッパーとの当接により前記ハンドルの回転を阻止し、前記ストッパーが離間したときには前記ハンドルに対する回転阻止を解除するハンドル規制部材とを備え、前記ストッパーは、前記搬送路の途中に配置されたときに、前記各ローラー間から排出されたクリアファイルと粘着フィルムの移動を阻止してなるクリアファイル加工処理装置。
【請求項２】
前記ストッパーには、前記粘着フィルムを切断するためのカッターが固定され、前記ストッパーの前記搬送路と交差する方向への摺動により、前記カッターで前記粘着フィルムを切断してなることを特徴とする請求項１に記載のクリアファイル加工処理装置。
【請求項３】
前記一対のローラーは、前記トレーから前記クリアファイルとともに、前記クリアファイル上に配置された挿入対象物が搬送されたときには、前記レバーの圧着操作により、前記挿入対象物を間にして前記粘着フィルムと前記クリアファイルとを互いに圧着してなることを特徴とする請求項１または２に記載のクリアファイル加工処理装置。
【発明の詳細な説明】
【技術分野】
【０００１】
本発明は、クリアファイルに粘着フィルムを圧着して、クリアファイルに各種の処理を施すことができるクリアファイル加工処理装置に関するものである。
【背景技術】
【０００２】
クリアファイルに各種の処理を施すに玩具として、例えば、クリアファイルに好みの色の粘着フィルムを貼り附けたり、クリアファイルと粘着フィルムとの間に各種のキャラクタなどで構成された挿入物を挿入し、クリアファイルと粘着フィルムとを挿入物を間にして貼り合わせるようにしたりするものが提案されている。
【発明の開示】
【発明が解決しようとする課題】
【０００３】
クリアファイルと粘着フィルムとを挿入物を間にして貼り合わせるに際して、従来の玩具では、クリアファイルに各種の処理を施すのに手間を要するので、より操作が簡単なものが望まれていた。
【０００４】
本発明は、前記従来技術の課題に鑑みて為されたものであり、その目的は、クリアファイルに処理を施すための操作をより簡単にすることにある。
【課題を解決するための手段】
【０００５】
前記目的を達成するために、本発明は、クリアファイルを搬送するための搬送路を有する筐体と、前記搬送路を間に相対向して前記筐体に回転自在に配置された一対のローラーと、前記筐体の搬送路に隣接して配置されて前記クリアファイルを収納するトレーと、前記筐体に回転自在に配置されてロール状に巻かれた粘着フィルムを回転自在に支持するフィルムロールと、前記筐体のうち前記各ローラーよりも前記搬送路の排出側において前記搬送路と交差する方向に摺動自在に配置されたストッパーと、前記一対のローラーのうち一方のローラーの軸方向一端側に固定されて、圧着操作または離間操作に応じた回転力を前記一方のローラーに付与するレバーと、前記一方のローラーの軸方向他端側に固定されて、前記レバーの圧着操作により前記一方のローラーと他方のローラーとを互いに圧着させ、前記レバーの離間操作により前記一方のローラーと前記他方のローラーを互いに離間させるカム機構と、前記他方のローラーの軸方向一端側に固定されて搬送操作に応じた回転力を前記他方のローラーに付与するハンドルと、前記ストッパーの摺動領域近傍に配置されて前記ストッパーとの当接により前記ハンドルの回転を阻止し、前記ストッパーが離間したときには前記ハンドルに対する回転阻止を解除するハンドル規制部材とを備え、前記ストッパーは、前記搬送路の途中に配置されたときに、前記各ローラー間から排出されたクリアファイルと粘着フィルムの移動を阻止してなるクリアファイル加工処理装置を構成したものである。
【０００６】
前記クリアファイル加工処理装置を構成するに際しては、前記ストッパーには、前記粘着フィルムを切断するためのカッターが固定され、前記ストッパーの前記搬送路と交差する方向への摺動により、前記カッターで前記粘着フィルムを切断してなる機能を付加することができ、また、前記一対のローラーは、前記トレーから前記クリアファイルとともに、前記クリアファイル上に配置された挿入対象物が搬送されたときには、前記レバーの圧着操作により、前記挿入対象物を間にして前記粘着フィルムと前記クリアファイルとを互いに圧着してなる機能を付加することができる。
【発明の効果】
【０００７】
本発明によれば、操作性の向上を図ることができる。
【発明を実施するための最良の形態】
【０００８】
以下、本発明の実施の形態を実施例に従って説明する。図１は、本発明の一実施例を示すクリアファイル加工処理装置の平面図、図２は、クリアファイル加工処理装置の正面図、図３は、クリアファイル加工処理装置の右側面断面図、図４は、クリアファイル加工処理装置の左側面断面図、図５は、レバーの押し上げ操作を説明するための要部側面図、図６は、レバーの押し下げ操作を説明するための要部側面図、図７は、ハンドルに対するロック状態を説明するための要部斜視図、図８は、ハンドルに対するロック解除状態を説明するための要部斜視図、図９は、クリアファイルと粘着フィルムの搬送状態を説明するための要部断面図、図１０は、加工処理前の状態を示すクリアファイル加工処理装置の斜視図、図１１は、加工処理後の状態を示すクリアファイル加工処理装置の斜視図である。
【０００９】
これらの図において、クリアファイル加工処理装置１０は、例えば、クリアファイル１２に各種の処理を施すための玩具として、筐体の一要素となるベース１４を備えており、ベース１４の略中間部にはクリアファイル１２を搬送するための搬送路１６が平板状に形成されている。搬送路１６の近傍には、上ローラー１８と下ローラー２０が搬送路１６を間にして相対向した配置されており、上ローラー１８はシャフト２２を介してベース１４に回転自在に支持され、下ローラー２０はシャフト２４を介してベース１４に回転自在に支持されている。上ローラー１８の斜め上方には、ロール状に巻かれた粘着フィルム２５が挿着されたフィルムロール２６が配置されており、フィルムロール２６はシャフト２８を介してベース１４に回転自在に支持されている。上ローラー１８、下ローラー２０、フィルムロール２６の軸方向両端側はサイドカバー３０、３２によって覆われており、各サイドカバー３０、３２にはベース１４に着脱自在に挿着されている。ベース１４の搬入側には、搬送路１６の延長線上に、クリアファイル１２を収納するためのトレー３４がシャフト３６を介して回動自在に連結されており、トレー３４には補助用トレー３８が摺動自在に連結されている。トレー３８の端部には、シャフト４０を介してトレー支え４２が回動自在に連結されている。各トレー３４、３８上にはクリアファイル１２が配置されている。
【００１０】
一方、ベース１４の搬出側には、搬送路１６と交差する方向、すなわち、搬送路１６と直交する方向に、凹部４４が直線状に形成されており、この凹部４４には、ストッパー４６が摺動自在に配置されている。このストッパー４６は、凹部４４を摺動路として、摺動路に沿って移動可能に配置され、凹部４４のうち搬送路１６を含む領域に配置されたときには、搬入側から搬送路１６上に挿入されたクラアファイル１２や粘着フィルム２５の排出側への移動を阻止するようになっている。また、ストッパー４６には、粘着フィルム２５を切断するためのカッター４８が内蔵されている。
【００１１】
サイドカバー３０に隣接してレバー５０が配置されており、このレバー５０は、上ローラー１８のシャフト２２の軸方向一端側に固定されている。シャフト２２の軸方向他端側にはカム５２が固定されている。カム５２は、図５に示すように、カム機構の一要素として、レバー５２が上方に押し上げられる離間操作されたときには、その一端側が下ローラー２０に当接して、上ローラー１８と下ローラー２０とを互いに離間させて、上ローラー１８と下ローラー２０との間に間隙を形成し、一方、図６に示すように、レバー５２が下方向に押し下げられる圧着操作されたときには、その一端側が下ローラー２０から離れ、上ローラー１８と下ローラー２０を互いに密着させるようになっている。
【００１２】
一方、サイドカバー３２に隣接してハンドル５４が配置されており、このハンドル５４は下ローラー２０のシャフト２４に固定されている。ハンドル５４を矢印方向に沿って搬送操作すると、搬送操作に応じた回転力をシャフト２４を介して下ローラー２０に付与するようになっている。この場合、ストッパー４６がハンドル５４近傍に配置されて、ハンドル５４に対するロックが解除されていることを条件に、ハンドル５４を搬送操作すると、下ローラー２０が回転し、下ローラー２０上のクリアファイル１２を搬出側に送り出せるようになっている。
【００１３】
ハンドル５４の近傍には、ストッパー４６と連動して、ハンドル５４のロックまたはロック解除を行うハンドル規制部材として、ラチェット５６とハンドルロックアーム５８が配置されている（図７、図８参照）。ラチェット５６は、円板６０の外周に複数の刃６２を有し、円板６０がシャフト６４を介してベース１４に回転自在に支持されている。ハンドルロックアーム５８は、シャフト６６を介してベース１４に回転自在に支持されており、一端側がラチェット５６の回転領域内またはストッパー４６の摺動領域内に配置されている。ハンドルロックアーム５８の他端側の回転領域内には補助ストッパー６８が配置されている。すなわち、ハンドルロックアーム５８は、ストッパー４６がハンドルロックアーム５８から離れているときには、ハンドルロックアーム５８の一端側がラチェット５６の刃６２と噛み合って、ハンドル５４の回転を阻止するロック状態となり、ストッパー４６がハンドルロックアーム５８の一端側に当接したときにのみ他端側が補助ストッパー６８から離れ、ラチェット５６の刃６２との噛み合いが解除され、ハンドル５４に対するロックを解除するようになっている。
【００１４】
上記構成によるクリアファイル加工処理装置１０を用いてクリアファイル１２に各種の加工を施すに際しては、まず、フィルムロール２６に粘着フィルム２５を挿着するとともに、トレー３４、３８上のクリアファイル１２を配置する。次に、クリアファイル１２上に、キャラクタなどの挿入対象物７０を配置する。この後、ストッパー４６を搬送路１６の中ほどに配置するとともに、レバー５０を上方に押し上げる離間操作を行う。これにより、上ローラー１８と下ローラー２０との間に間隙が形成され、この間隙内に、搬送側からクリアファイル１２と粘着フィルム２５をストッパー４６と当接するまで挿入する（図９、図１０参照）。クリアファイル１２と粘着フィルム２５の先端側がストッパー４６に当接したときには、クリアファイル１２と粘着フィルム２５に関する位置決めを終了する。
【００１５】
次に、ストッパー４６をハンドル５４近傍まで摺動させて、ストッパー４６をハンドルロックアーム５８の一端側に当接させ、ハンドル５４に対するロックを解除するとともに、レバー５０を下方に押し下げる圧着操作を行い、上ローラー１８と下ローラー２０とをクリアファイル１２および粘着フィルム２５の先端側を間にした互いに圧着させる。この後、ハンドル５４を搬送操作すると、クリアファイル１２および粘着フィルム２５が互いに圧着された状態で搬出側から順次搬出される。このとき、挿入対象物７０は、ファイル１２と粘着フィルム２５との間に挿入された状態で、かつクリアファイル１２および粘着フィルム２５に圧着された状態で搬出される。挿入対象物７０がキャラクタであれば、クリアファイル１２にキャラクタが写し出せるようになる。
【００１６】
ハンドル５４の搬送操作に伴って、クリアファイル１２の後端側が排出されたときには、図１１に示すように、ストッパー４６をハンドルロックアーム５８の一端側から離して、凹部４４に沿ってハンドル５４から離れる方向に移動すると、ストッパー４６内おカッター４８によって粘着フィルム２５を切断することができる。
【００１７】
なお、粘着フィルム２５の幅は、クリアファイル１２の幅よりも狭いため、クリアファイル１２の幅方向両端側には粘着フィルム２５が挿着されない余白が形成される。
【００１８】
一枚のクリアファイル１２に対する処理が終了した後、次のクリアファイル１２をトレー３４、３８上にセットし、同様の操作を行うことで、次のクリアファイル１２にも粘着フィルム２５で挿入対象物７０を挿着することができる。
【００１９】
本実施例によれば、レバー５０の操作によって上下ローラー１８、２０の位置を調整し、ストッパー４６に位置に応じてハンドル５４に対するロック・アンロックを行い、ストッパー４６に内蔵されたカッター４８で粘着フィルム２５を切断するようにしたため、クリアファイル１２に処理を施すための操作が容易となり、操作性の向上を図ることができる。
【図面の簡単な説明】
【００２０】
【図１】本発明の一実施例を示すクリアファイル加工処理装置の平面図である。
【図２】クリアファイル加工処理装置の正面図である。
【図３】クリアファイル加工処理装置の右側面断面図である。
【図４】クリアファイル加工処理装置の左側面断面図である。
【図５】レバーの押し上げ操作を説明するための要部側面図である。
【図６】レバーの押し下げ操作を説明するための要部側面図である。
【図７】ハンドルに対するロック状態を説明するための要部斜視図である。
【図８】ハンドルに対するロック解除状態を説明するための要部斜視図である。
【図９】クリアファイルと粘着フィルムの搬送状態を説明するための要部断面図である。
【図１０】加工処理前の状態を示すクリアファイル加工処理装置の斜視図である。
【図１１】加工処理後の状態を示すクリアファイル加工処理装置の斜視図である。
【符号の説明】
【００２１】
１０  クリアファイル加工処理装置
１２  クリアファイル
１４  ベース
１６  搬送路
１８  上ローラー
２０  下ローラー
２５  粘着フィルム
２６  フィルムロール
３４、３８  トレー
４４  凹部
４６  ストッパー
４８  カッター刃
５０  レバー
５４  ハンドル
５６  ラチェット
５８  ハンドルロックアーム
７０  挿入対象物
【図１】
2007190836.tif 000003
【図２】
2007190836.tif 000004
【図３】
2007190836.tif 000005
【図４】
2007190836.tif 000006
【図５】
2007190836.tif 000007
【図６】
2007190836.tif 000008
【図７】
2007190836.tif 000009
【図８】
2007190836.tif 000010
【図９】
2007190836.tif 000011
【図１０】
2007190836.tif 000012
【図１１】
2007190836.tif 000013